(57)【要約】【課題】  住宅や店舗内部の壁面や棚等を工具等を用いることなく、また、壁面を損傷することなく自由自在に、かつ、容易に取り替えることができ、住宅や店舗内部の雰囲気を一新することができる壁面部材およびそれを用いた壁面構造を提供することであり、特に住宅や店舗内部の壁面を書画で飾ったようなイメージを演出することができる壁面部材およびそれを用いた壁面構造を提供することである。【解決手段】  壁体表面に水平方向に取り付けられるレール状係合型材であって、該レール状係合型材は上縁と下縁が板状体からなり、前記板状体の上縁と下縁がその間に少なくとも上下二段の略２条の挿嵌溝が形成された挿嵌部により構成されていることを特徴とするレール状係合型材。【選択図】        図１
2006183449.tif 000002
【特許請求の範囲】
【請求項１】
壁体表面に水平方向に取り付けられるレール状係合型材であって、該レール状係合型材は上縁と下縁が板状体からなり、前記板状体の上縁と下縁がその間に少なくとも上下二段の略２条の挿嵌溝が形成された挿嵌部により構成されていることを特徴とするレール状係合型材。
【請求項２】
前記板状体の上縁に垂直上方に起立形成された取付縁と、前記板状体の下縁に垂下形成された支持縁とを備えていることを特徴とする請求項１記載のレール状係合型材。
【請求項３】
請求項１、２のいずれかに記載のレール状係合型材の上方に位置し、かつ、水平方向に壁体表面に取り付けられるレール状上部係合型材であって、該レール状上部係合型材は上縁と下縁が板状体であり、前記板状体の上縁と下縁との間に少なくとも１条の挿嵌溝が形成された挿嵌部と、前記板状体の下縁に垂下形成された支持縁とを備えていることを特徴とするレール状上部係合型材。
【請求項４】
請求項１、２のいずれかに記載のレール状係合型材の下方に位置し、かつ、水平方向に壁体表面に取り付けられるレール状下部係合型材であって、該レール状下部係合型材は下縁が板状体であり、前記板状体の下縁の長手方向の一方の端辺に垂直上方に突出する板状突起と、他方の端辺に垂直上方に起立形成された取付縁とを少なくとも備えていることを特徴とするレール状下部係合型材。
【請求項５】
請求項３記載の前記レール状上部係合型材と、請求項１、２のいずれかに記載の前記レール状係合型材と、請求項４記載の前記レール状下部係合型材とを水平方向に平行に壁体表面に上部から順に配設すると共に各係合型材間に１ないし複数枚の定寸の基板を嵌合したことを特徴とする壁面構造。
【請求項６】
前記レール状係合型材が複数本配設されていることを特徴とする請求項５記載の壁面構造。
【請求項７】
前記基板の隣接部において、前記基板の必ず一方側が断面Ｌ字状切欠部を有していることを特徴とする請求項５記載の壁面構造。
【請求項８】
請求項６〜７のいずれかに記載の壁面構造において、両側端面に側端面を被覆するエンドカバーが取り付けられていることを特徴とする壁面構造。
【請求項９】
請求項５〜８のいずれかに記載の壁面構造において、断面弧状の板状挿嵌部と該板状挿嵌部の長手方向の一端から略直角方向に延設される板状の固定部とからなる化粧ボード係止型材を化粧ボードの背面上部に前記板状挿嵌部が上部側に位置するように前記固定部で固定した化粧ボード部材がその板状挿嵌部を前記レール状上部係合型材の挿嵌溝、および、前記レール状係合型材の前記下段の挿嵌溝に挿嵌することにより前記基板の前面に前記基板を被覆するように、かつ、水平方向に一定の間隔の隙間を設けて取付けられていることを特徴とする壁面構造。
【請求項１０】
請求項９記載の壁面構造において、棚板挟持用上板部と、該棚板挟持用上板部に延設される断面弧状の板状挿嵌部と、前記棚板挟持用上板部から垂下形成される支持板部と、該支持板部から前記棚板挟持用上板部に略平行に、かつ、前記棚板挟持用上板部の前記支持板部からの突出長さより長く突出形成される棚板挟持用下板部とからなる棚受け用係止型材の前記棚板挟持用上板部と前記棚板挟持用下板部との間に棚板を挟持固定した棚部材がその挿嵌部を前記レール状係合型材の前記上段の挿嵌溝に挿嵌することにより前記化粧ボード部材の前面に取り付けられていることを特徴とする壁面構造。
【請求項１１】
請求項９記載の壁面構造において、棚受部材が嵌入係止される複数個の縦長通孔を備えた棚支柱型材が前記レール状上部係合型材と前記レール状係合型材との間、および／ないし、前記レール状係合型材間、および／ないし、前記レール状係合型材と前記レール状下部係合型材との間の前記隙間に取り付けられていることを特徴とする壁面構造。
【発明の詳細な説明】
【技術分野】
【０００１】
本発明は、住宅や店舗内部の壁面を、書画を展示したようなイメージ、あるいは、陶磁器を陳列したようなイメージを与えるギャラリー（美術品陳列室）的な壁面等とするための壁面部材およびそれを用いた壁面構造に関し、さらに詳しくは、ギャラリーが定期的に書画や陳列品を入れ替えるように、壁面や棚を自由自在に入れ替えて、内部の雰囲気を一新することができる壁面部材およびそれを用いた壁面構造に関するものである。
【背景技術】
【０００２】
従来、倉庫内の収納ラックや店舗内の商品展示台、住宅内の壁面利用において、複数の棚板を懸架させる構造としては、収納ラックにおいては支柱部分、商品展示台や家庭内壁面においては、予め展示台内背面部や壁面に取り付けられた垂直方向で且つ平行する支柱部分の天地方向に適宜間隔を隔てて穿設された係合孔に、フック部材や棚受け部材を係合させ、前記フック部材や棚受け部材間に棚板を懸架させる構造が一般的に行われている。
【０００３】
また、比較的板厚の大きいボード材に棚、ボックス、吊下具等の種々の家具用部品を簡単に装着すると共に取り外しができ、取付け位置を適宜に変更することができるものとして、家具用部品装着構造が提案されている（たとえば、特許文献１参照）。
【０００４】
特許文献１に記載された家具用部品装着構造によれば、比較的板厚の大きいボード材に棚、ボックス、吊下具等の種々の家具用部品を簡単に装着すると共に取り外しができ、取付け位置を適宜に変更することができ、かつ極めて強固なる構造とすることができるが、ボード材の頂面および底面には接続用溝が形成され、取付具の頂部には垂直状接続部が形成され、底部には垂下状接続部が形成され、取付具が壁部に固着され、かつ上下に隣接するボード材の頂面と底面に形成された接続用溝に垂直状接続部および垂下状接続部が挿入されているので、ボード材はその上下の取付具間に強固に挟持固定され、前記ボード材の表面部による壁装面が構成される反面、前記ボード材は前記取付具間に挟持固定されているため、容易に取り外しが行えず、たとえば、住宅においては模様替え、店舗においては商品入れ替えや季節感演出のために、前記ボード材を取り替える場合、前記取付具自体の取り外しが必要となるばかりでなく、取付具の取り外しや再取付けにより壁面が損傷される虞があった。
【特許文献１】実用新案登録第３０７８６９２号公報
【発明の開示】
【発明が解決しようとする課題】
【０００５】
そこで本発明は、工具等を用いることなく、また、壁面を損傷することなく、住宅や店舗内部の壁面や棚等を自由自在に、かつ、容易に取り替えることができ、住宅や店舗内部の雰囲気を一新することができる壁面部材およびそれを用いた壁面構造を提供することであり、特に住宅や店舗内部の壁面を書画で飾ったようなイメージを演出することができる壁面部材およびそれを用いた壁面構造を提供することである。
【課題を解決するための手段】
【０００６】
本発明者は、上記課題を解決するために、請求項１記載の本発明は、壁体表面に水平方向に取り付けられるレール状係合型材であって、該レール状係合型材は上縁と下縁が板状体からなり、前記板状体の上縁と下縁がその間に少なくとも上下二段の略２条の挿嵌溝が形成された挿嵌部により構成されていることを特徴とするものである。
【０００７】
また、請求項２記載の本発明は、請求項１記載のレール状係合型材において、前記板状体の上縁に垂直上方に起立形成された取付縁と、前記板状体の下縁に垂下形成された支持縁とを備えていることを特徴とするものである。
【０００８】
また、請求項３記載の本発明のレール状上部係合型材は、請求項１、２のいずれかに記載のレール状係合型材の上方に位置し、かつ、水平方向に壁体表面に取り付けられるレール状上部係合型材であって、該レール状上部係合型材は上縁と下縁が板状体であり、前記板状体の上縁と下縁との間に少なくとも１条の挿嵌溝が形成された挿嵌部と、前記板状体の下縁に垂下形成された支持縁とを備えていることを特徴とするものである。
【０００９】
また、請求項４記載の本発明のレール状下部係合型材は、請求項１、２のいずれかに記載のレール状係合型材の下方に位置し、かつ、水平方向に壁体表面に取り付けられるレール状下部係合型材であって、該レール状下部係合型材は下縁が板状体であり、前記板状体の下縁の長手方向の一方の端辺に垂直上方に突出する板状突起と、他方の端辺に垂直上方に起立形成された取付縁とを少なくとも備えていることを特徴とするものである。
【００１０】
また、請求項５記載の本発明の壁面構造は、請求項３記載の前記レール状上部係合型材と、請求項１、２のいずれかに記載の前記レール状係合型材と、請求項４記載の前記レール状下部係合型材とを水平方向に平行に壁体表面に上部から順に配設すると共に各係合型材間に１ないし複数枚の定寸の基板を嵌合したことを特徴とするものである。
【００１１】
また、請求項６記載の本発明は、請求項５記載の壁面構造において、前記レール状係合型材が複数本配設されていることを特徴とするものである。
【００１２】
また、請求項７記載の本発明は、請求項５記載の壁面構造において、前記基板の隣接部において、前記基板の必ず一方側が断面Ｌ字状切欠部を有していることを特徴とするものである。
【００１３】
また、請求項８記載の本発明は、請求項６〜７のいずれかに記載の壁面構造において、両側端面に側端面を被覆するエンドカバーが取り付けられていることを特徴とするものである。
【００１４】
また、請求項９記載の本発明は、請求項５〜８のいずれかに記載の壁面構造において、断面弧状の板状挿嵌部と該板状挿嵌部の長手方向の一端から略直角方向に延設される板状の固定部とからなる化粧ボード係止型材を化粧ボードの背面上部に前記板状挿嵌部が上部側に位置するように前記固定部で固定した化粧ボード部材がその板状挿嵌部を前記レール状上部係合型材の挿嵌溝、および、前記レール状係合型材の前記下段の挿嵌溝に挿嵌することにより前記基板の前面に前記基板を被覆するように、かつ、水平方向に一定の間隔の隙間を設けて取付けられていることを特徴とするものである。
【００１５】
また、請求項１０記載の本発明は、請求項９記載の壁面構造において、棚板挟持用上板部と、該棚板挟持用上板部に延設される断面弧状の板状挿嵌部と、前記棚板挟持用上板部から垂下形成される支持板部と、該支持板部から前記棚板挟持用上板部に略平行に、かつ、前記棚板挟持用上板部の前記支持板部からの突出長さより長く突出形成される棚板挟持用下板部とからなる棚受け用係止型材の前記棚板挟持用上板部と前記棚板挟持用下板部との間に棚板を挟持固定した棚部材がその挿嵌部を前記レール状係合型材の前記上段の挿嵌溝に挿嵌することにより前記化粧ボード部材の前面に取り付けられていることを特徴とするものである。
【００１６】
また、請求項１１記載の本発明は、請求項９記載の壁面構造において、棚受部材が嵌入係止される複数個の縦長通孔を備えた棚支柱型材が前記レール状上部係合型材と前記レール状係合型材との間、および／ないし、前記レール状係合型材間、および／ないし、前記レール状係合型材と前記レール状下部係合型材との間の前記隙間に取り付けられていることを特徴とするものである。
【発明の効果】
【００１７】
本発明の壁面部材およびそれを用いた壁面構造は、レール状係合型材、特に板状体の上縁と下縁がその間に上下二段の２条の挿嵌溝からなる挿嵌部を備えたレール状係合型材に特徴を有するものであり、化粧ボード部材および棚部材に設けられた断面弧状の板状挿嵌部を前記挿嵌溝に着脱することにより化粧ボード部材および棚部材を容易に取り付け・取り外しすることができるという効果を奏し、また、化粧ボード部材および棚部材の取り付け・取り外しに際して壁面を損傷することがないという効果を奏し、これにより住宅や店舗内部の雰囲気を容易に一新することができるという効果を奏する。
【００１８】
また、化粧ボード部材が壁体表面から前面に突出した状態で設けられるために、住宅や店舗内部の壁体表面に書画を飾ったようなイメージを演出することができるという効果を奏する。さらに、化粧ボード部材は少なくとも壁面とした際に表出する面を木目調、石目調、布目調、ヘアーライン調等の化粧シートや布が貼着された構成、あるいは、鏡を取り付けた構成、あるいは、化粧ボード部材そのものを天然木や天然石とする構成などの種々の構成が可能であり、興趣に富んだ壁面とすることができるという効果を奏する。さらにまた、棚支柱型材を設けた構成とすることにより、棚受部材を棚支柱型材の縦長通孔に嵌入係止し、これに棚板を設けることも可能であり、壁面構成の自由度がさらに高まるという効果を奏する。
【発明を実施するための最良の形態】
【００１９】
上記の本発明について、図面等を用いて以下に詳述する。
図１は本発明にかかる壁面構造に用いるレール状係合型材の第１実施形態を示す（ａ）は斜視図，（ｂ）は断面図、図２は本発明にかかる壁面構造に用いるレール状係合型材の第２実施形態を示す（ａ）は斜視図，（ｂ）は断面図、図３は本発明にかかる壁面構造に用いるレール状係合型材のその他の実施形態を示す断面図、図４は本発明にかかる壁面構造に用いるレール状上部係合型材の一実施例を示す（ａ）は斜視図，（ｂ）は断面図、図５は本発明にかかる壁面構造に用いるレール状下部係合型材の一実施例を示す（ａ）は斜視図，（ｂ）は断面図、図６は本発明にかかる壁面構造に用いる化粧ボード係止型材の一実施例を示す（ａ）は斜視図，（ｂ）は断面図、図７は本発明にかかる壁面構造に用いる化粧ボード部材の一実施例を示す斜視図、図８は本発明にかかる壁面構造に用いる化粧ボード部材の他の実施例を示す斜視図、図９は本発明にかかる壁面構造に用いる化粧ボード部材のさらに他の実施例を示す（ａ）は斜視図、（ｂ）は（ａ）のＹ−Ｙ線断面図、図１０は本発明にかかる壁面構造の化粧ボード部材の取付状態の第１実施形態を示す（ａ）は斜視図，（ｂ）は断面図、図１１は本発明にかかる壁面構造の化粧ボード部材の取付状態の第２実施形態を説明する（ａ）は斜視図，（ｂ）は断面図、図１２は本発明にかかる壁面構造の基板の取付状態の一実施例を示す（ａ）は斜視図，（ｂ）は断面図、図１３は本発明にかかる壁面構造に用いる棚支柱型材の一実施例を示す（ａ）は斜視図，（ｂ）は正面図，（ｃ）は（ｂ）のＸ−Ｘ線断面図、図１４は本発明にかかる壁面構造に用いる棚支柱型材の他の実施例を示す（ａ）は斜視図，（ｂ）は正面図，（ｃ）は（ｂ）のＸ−Ｘ線断面図、図１５は本発明にかかる壁面構造に用いる掛止棚受け部材の一実施例を示す（ａ）は平面図，（ｂ）は側面図，（ｃ）は掛止棚受け部材に載置される棚板を説明する図、図１６は本発明にかかる壁面構造に用いる棚受け用係止型材の一実施例を示す（ａ）は斜視図，（ｂ）は断面図，（ｃ）は棚受け用係止型材に棚板を装着した状態を説明する図、図１７は本発明にかかる壁面構造における化粧ボード部材および棚部材の取付状態の一実施例を示す（ａ）は斜視図，（ｂ）は断面図、図１８は本発明にかかる壁面構造の基板を取付けた状態の全体構造の一実施例を示す（ａ）は平面図、（ｂ）は（ａ）のＸ−Ｘ線断面図、図１９は本発明にかかる壁面構造の棚支柱型材の取付状態の一実施例を示す断面図、図２０は本発明にかかる壁面構造の化粧ボード部材を取付けた状態の全体構造の一実施例を示す斜視図、図２１は本発明にかかる壁面構造の棚部材と掛止棚受け部材の取付状態の一実施例を示す斜視図、図２２は本発明にかかる壁面構造の化粧ボード部材、棚部材、棚板を載置した掛止棚受け部材の取付状態の全体構造の一実施例を示す（ａ）は平面図，（ｂ）は側面図であり、図中の１，１’は上縁、１ａは支持突起、２，２’，２”は下縁、３は上段挿嵌溝、３ａは上段挿入口、３ｂは挿入口、４は下段挿嵌溝、４ａは下段挿入口、５は嵌入溝、６は垂直状突起、７，７’は垂下状突起、８，８’，８”は取付縁、９は支持縁、１０は断面弧状の板状挿嵌部、１１，１３は板状の固定部、１２は化粧ボード固定用突起、１４は化粧ボード幅員規制用溝、１５は板状挿嵌部、１６は棚板挟持用上板部、１７は支持板部、１８は棚板挟持用下板部、２０，２０’は板状挿入突起、２１は挿入溝、２２は正面板、２２’は隆起面、２３は側面板、２４は通孔支持板、２５は掛止通孔、２６は化粧ボード幅員規制用突起、２７は棚支柱型材用溝、２８は棚板載置腕部、２９は鉤状掛止片、３０は棚板係止突起、３１は載置用溝、３２は固定用孔、３３は挿嵌溝、３４は板状突起、３５は嵌合凸部、３６は断面Ｌ字状切欠部、３７は断面コの字状凹部、３８はエンドカバー、３９は化粧ボード、４０は位置決め挿入溝、４１は断面略Ｔ字状突出部を有する支持部、４２はダボ穴、Ａ，Ａ’，Ａ”はレール状係合型材、Ｂ，Ｂ’，Ｂ”は化粧ボード部材、Ｃは棚受け用係止型材、Ｄ，Ｄ’は化粧ボード係止型材、Ｅは嵌入部材、Ｆは基板、Ｈ，Ｈ’は棚支柱型材、Ｊは掛止棚受け部材、Ｌは挿嵌部、Ｍ１，Ｍ２，Ｍ３，Ｍ４，Ｍ５，Ｍ６，Ｍ７，Ｍ８，Ｍ９は壁面構造、Ｎは棚部材、Ｑは螺子、Ｒは螺子孔、Ｓはレール状上部係合型材、Ｔはレール状下部係合型材、Ｖ，Ｖ’は棚板、Ｗは壁体をそれぞれ示す。
【００２０】
図１は本発明にかかる壁面構造に用いるレール状係合型材の第１実施形態を示す（ａ）は斜視図，（ｂ）は断面図であって、レール状係合型材Ａはアルミニウム等の金属で形成され、所望する壁面構成の略全幅に亘って少なくとも１本が後述する壁体表面に専ら水平方向に取り付けられるもので、上縁１と下縁２が板状体からなり、前記板状体の上縁１と下縁２との間に、それぞれ断面が上向き円弧状で一端にそれぞれ上段挿入口３ａと下段挿入口４ａを有する上段挿嵌溝３と下段挿嵌溝４とからなる上下二段の２条の挿嵌溝と前記板状体の上縁１と前記上段挿嵌溝３との間に設けられた嵌入溝５とが形成された挿嵌部Ｌと、前記板状体の上縁１の前記上・下段挿入口３ａ、４ａと対向する側の端縁に垂直上方に起立形成された板状の取付縁８と前記板状体の下縁の前記上・下段挿入口３ａ、４ａと対向する側の端縁に垂下形成された板状の支持縁９と、前記板状体の上縁１に前記取付縁８に対して間隔をあけて前記取付縁８に平行に設けられた垂直状突起６と前記板状体の下縁２に前記支持縁９に対して間隔をあけて前記支持縁９に平行に設けられた垂下状突起７とからなるものである。前記取付縁８と前記垂直状突起６との間、および、前記支持縁９と前記垂下状突起７との間に基板Ｆが嵌合される。なお、符号Ｒはレール状係合型材Ａを壁体に取り付けるための螺子孔を示す。以後に用いる符号Ｒは同じ意味である。
【００２１】
図２は本発明にかかる壁面構造に用いるレール状係合型材の第２実施形態を示す（ａ）は斜視図，（ｂ）は断面図であって、レール状係合型材Ａ’は上記したレール状係合型材Ａと同様にアルミニウム等の金属で形成され、前記板状体の上縁１と下縁２との間に、それぞれ断面が上向き円弧状で一端にそれぞれ上段挿入口３ａと下段挿入口４ａを有する上段挿嵌溝３と下段挿嵌溝４とからなる上下二段の２条の挿嵌溝のみが形成された挿嵌部Ｌからなると共に前記板状体の上縁１の前記上・下段挿入口３ａ、４ａ側の端縁から水平方向に突出する支持突起１ａが形成されている以外はレール状係合型材Ａと同じである。この支持突起１ａは前記取付縁８の厚み分と略等しい長さだけ突出している。
【００２２】
図３は本発明にかかる壁面構造に用いるレール状係合型材のその他の実施形態を示す断面図であって、レール状係合型材Ａ”は図３（ａ）は上段挿嵌溝３が下向き鉤状からなるものであり、図３（ｂ）は下段挿嵌溝４が部分突起を有する断面Ｕの字状からなるものであり、図３（ｃ）は下段挿嵌溝４が下向き鉤状からなるものであり、略２条の挿嵌溝は実施例に限るものではなく、適宜な形状を用いればよいものである。また、図３（ｄ）は図１、２に示した前記支持縁９が板状ではなくて逆Ｌ字状からなるものであって、このように構成した支持縁９はレール状係合型材自体の強度を板状のものに比べて向上させることができる。また、図示はしないが、前記取付縁８についても図３（ｄ）に示した前記支持縁９を１８０度上下方向に反転したＬ字状としてレール状係合型材自体の強度を板状のものに比べて向上させてもよいものである。
【００２３】
図４は本発明にかかる壁面構造に用いるレール状上部係合型材の一実施例を示す（ａ）は斜視図，（ｂ）は断面図であって、レール状上部係合型材Ｓはアルミニウム等の金属で形成され、図１〜３で説明したレール状係合型材Ａ，Ａ’，Ａ”の上方に位置し、かつ、水平方向に取り付けられるものであって、上縁１’と下縁２’が板状体からなり、前記板状体の上縁１’と下縁２’との間に、断面が上向き円弧状で下端に挿入口３ｂを有する挿嵌溝３３が形成された挿嵌部Ｌと、前記板状体の下縁２’の前記挿入口３ｂと対向する側の端縁に垂下形成された逆コの字状の取付縁８’と、前記板状体の下縁２’に前記取付縁８’に対して間隔をあけて前記取付縁８’に平行に設けられた板状の垂下状突起７’とからなるものである。なお、前記挿嵌溝３３は図１ないし図２に示したように上下二段の２条からなる挿嵌溝であってもよいのである。前記逆コの字状の取付縁８’と前記垂下状突起７’との間に基板Ｆが嵌合される。
【００２４】
図５は本発明にかかる壁面構造に用いるレール状下部係合型材の一実施例を示す（ａ）は斜視図，（ｂ）は断面図であって、レール状下部係合型材Ｔはアルミニウム等の金属で形成され、図１〜３で説明したレール状係合型材Ａ，Ａ’，Ａ”の下方に位置し、かつ、水平方向に取り付けられるものであって、下縁２”が板状体からなり、前記板状体の下縁２”の長手方向の一方の端辺に垂直上方に突出する板状突起３４を備えた断面ｈ字状の突起部と、他方の端辺に垂直上方に起立形成された断面略柄杓（ひしゃく）状の取付縁８”と、前記板状突起３４と前記取付縁８”との間に断面Ｔ字状の嵌合凸部３５が設けられたものである。一方の端部がＴ字状に切り欠かれたＴ字状溝を有する基板Ｆが前記嵌合凸部３５に前記Ｔ字状溝を嵌入させて前記板状突起３４と前記取付縁８”との間に嵌合される。なお、今まで説明した係合型材Ａ，Ａ’，Ａ”，Ｓ，Ｔはいずれも、これを後述する壁体に取り付けるための螺子孔Ｒを取付縁８，８’，８”に穿設したものを示したが、たとえば、材料がアルミニウムの押出し型材からなる場合は、予め螺子孔Ｒを設けることなく取り付け時に前記取付縁８，８’，８”に直接に螺子を螺着してもよいものである。また、以下に説明する螺子孔Ｒについても、材料がアルミニウムの押出し型材からなる場合は同様に予め螺子孔Ｒを設けることなく取り付け時に直接に螺子を螺着してもよいものである。
【００２５】
図６は本発明にかかる壁面構造に用いる化粧ボード係止型材の一実施例を示す（ａ）は斜視図，（ｂ）は断面図であって、化粧ボード係止型材Ｄはアルミニウム等の金属、あるいは、合成樹脂で形成され、断面弧状の板状挿嵌部１０と該板状挿嵌部１０の長手方向の一端から略直角方向に延設される板状の固定部１１からなるものである。なお、
【００２６】
図７は本発明にかかる壁面構造に用いる化粧ボード部材の一実施例を示す斜視図であって、化粧ボード部材Ｂは壁面とした際の、たとえば、一般木材、中密度繊維板（いわゆる、ＭＤＦ）、合板、パーティクルボード等の表出面に、たとえば、木目調、石目調、布目調、ヘアーライン調等の化粧シートや布等が貼着された、あるいは、鏡を取り付けた、あるいは、天然木や天然石そのものからなる化粧ボード３９の背面上部に図７で示した化粧ボード係止型材Ｄをその断面弧状の板状挿嵌部１０が上部側に位置するように前記板状の固定部１１で螺子Ｑにより螺着したものである。なお、化粧ボード３９の背面両側端近傍の天地に亘って化粧ボード部材Ｂを取り付けて壁面とする際の水平方向の位置を決めるための化粧ボード幅員規制用溝１４が穿設されている。
【００２７】
図８は本発明にかかる壁面構造に用いる化粧ボード部材の他の実施例を示す斜視図であって、化粧ボード部材Ｂ’は図８に示した化粧ボード部材Ｂの背面下部に、アルミニウム等の金属、あるいは、合成樹脂で形成され、板状の固定部１３と該板状の固定部１３の下端近傍から立設される化粧ボード固定用突起１２とからなる嵌入部材Ｅを前記板状の固定部１３で螺子Ｑにより螺着したものであって、これ以外は図８に示した化粧ボード部材Ｂと同じである。
【００２８】
図９は本発明にかかる壁面構造に用いる化粧ボード部材のさらに他の実施例を示す（ａ）は斜視図、（ｂ）は（ａ）のＹ−Ｙ線断面図であって、化粧ボード部材Ｂ”は前記化粧ボード３９の背面上部に上端辺に平行な位置決め挿入溝４０が設けられ、該位置決め挿入溝４０に、アルミニウム等の金属、あるいは、合成樹脂で形成された板状挿入突起２０’と、該板状挿入突起２０’に延設される断面弧状の板状挿嵌部１０と、該板状挿嵌部１０から垂下形成される板状の固定部１１と、該板状の固定部１１にその一端が連接し、その他端に前記板状挿嵌部１０側に突出する断面Ｔ字状突出部を有する支持部４１とからなる化粧ボード係止型材Ｄ’の板状挿入突起２０’を挿入すると共に前記固定部１１で螺子Ｑにより化粧ボード係止型材Ｄ’を螺着したものである。そして、前記化粧ボード部材Ｂ”は背面下部にダボ穴４２が形成されているものである。このように構成した化粧ボード部材Ｂ”は、図７、８に示した化粧ボード部材Ｂ、Ｂ’に設けた化粧ボード幅員規制用溝１４を設ける必要がなく、さらには、後述する棚支柱型材Ｈ、Ｈ’に設けた化粧ボード幅員規制用突起２６を設ける必要がないものとすることができる（図１３、図１９参照）。すなわち、図示はしないが、図１８に示す基板Ｆの下部に前記化粧ボード部材Ｂ”に設けたダボ穴４２に対応するダボを設け、該ダボに前記ダボ穴４２を挿入することにより、自ずと化粧ボード部材Ｂ”を取り付けて壁面とする際の水平方向の位置決めができるものである。なお、前記化粧ボード係止型材Ｄ’に設けた前記断面略Ｔ字状突出部を有する支持部４１は、たとえば、図示はしないが、前記断面弧状の板状挿嵌部１０を図１２（ｂ）に示す下段挿入口４ａから下段挿嵌溝４に挿嵌して前記化粧ボード部材Ｂ”を前記レール状係合型材Ａに取り付けた際に、前記基板Ｆにより前記支持部４１が支持されることとなり、前記化粧ボード部材Ｂ”の安定性を得ることができると共に後述する棚部材Ｎ（図１６、図１７参照）を前記レール状係合型材Ａの図１２（ｂ）に示す上段挿入口３ａから上段挿嵌溝３に挿嵌して取り付けた際に、棚部材Ｎ（棚部材上に置かれた物品を含む）の荷重を前記化粧ボード部材Ｂ”を介して確実に受ける機能を果たすものである。
【００２９】
図１０は本発明にかかる壁面構造の化粧ボード部材の取付状態の第１実施形態を示す（ａ）は斜視図，（ｂ）は断面図であって、壁面構造Ｍ１はレール状係合型材Ａが壁体Ｗの表面に水平方向に所定の間隔をあけて平行に、それぞれ取付縁８の螺子孔Ｒで螺子Ｑにより壁体Ｗに螺着され、化粧ボード部材Ｂ’がその背面上部に取り付けられた化粧ボード係止型材Ｄの断面弧状の板状挿嵌部１０で、より上部に螺着された前記レール状係合型材Ａの上下二段に形成された２条の挿嵌溝３、４のうちの下段の挿嵌溝４に下段挿入口４ａから挿嵌されると共に、その背面下部に取り付けられた嵌入部材Ｅの化粧ボード固定用突起１２が、より下部に螺着された前記レール状係合型材Ａの嵌入溝５に嵌入固定されている。
【００３０】
図１１は本発明にかかる壁面構造の化粧ボード部材の取付状態の第２実施形態を示す（ａ）は斜視図，（ｂ）は断面図であって、壁面構造Ｍ２はレール状係合型材Ａ’が壁体Ｗの表面に水平方向に所定の間隔をあけて平行に、それぞれ取付縁８の螺子孔Ｒで螺子Ｑにより壁体Ｗに螺着され、化粧ボード部材Ｂがその背面上部に取り付けられた化粧ボード係止型材Ｄの断面弧状の板状挿嵌部１０で、より上部に螺着された前記レール状係合型材Ａ’の上下二段に形成された２条の挿嵌溝３、４のうちの下段の挿嵌溝４に下段挿入口４ａから挿嵌されると共に、より下部に螺着された前記レール状係合型材Ａ’の取付縁８の厚み分と略等しい長さだけ突出した支持突起１ａにより化粧ボード部材Ｂの背面下部が支持されている。前記支持突起１ａの効果により化粧ボード部材Ｂを略垂直状態に保持することができる。
【００３１】
図１２は本発明にかかる壁面構造の基板の取付状態の一実施例を示す（ａ）は斜視図，（ｂ）は断面図であって、壁面構造Ｍ３はレール状係合型材Ａが壁体Ｗの表面に水平方向に所定の間隔をあけて平行に、それぞれ取付縁８の螺子孔Ｒで螺子Ｑにより壁体Ｗに螺着されるが、基板Ｆをレール状係合型材Ａ間に取り付ける場合は基板Ｆは壁体Ｗの表面に当接するように、かつ、予めより上部に螺着された前記レール状係合型材Ａの支持縁９と垂下状突起７との間、および、より下部に螺着された前記レール状係合型材Ａの取付縁８と垂直状突起６との間に嵌合した状態で壁体Ｗに螺着されたものである。そのため、基板Ｆは前記支持縁９および前記取付縁８と嵌合する部分が略Ｌ字状に切削されている。前記基板Ｆを設けることは自由であるが、設けない場合に比べて後述する棚支柱型材Ｈを嵌め込むための棚支柱型材用溝２７を基板Ｆに設けることができる（図１９参照）ので、棚支柱型材Ｈの設置と固定を容易なものとすることができる。なお、前記基板Ｆの材質としては、一般木材、中密度繊維板（いわゆる、ＭＤＦ）、合板、パーティクルボード等が適当である。
【００３２】
図１３は本発明にかかる壁面構造に用いる棚支柱型材の一実施例を示す（ａ）は斜視図，（ｂ）は正面図，（ｃ）は（ｂ）のＸ−Ｘ線断面図であって、棚支柱型材Ｈはアルミニウム等の金属で形成され、正面板２２および両側面板２３で形成される断面略コの字状部と前記両側面板２３の前記正面板２２側の延長上に突設された化粧ボード幅員規制用突起２６と前記両側面板２３の間に前記正面板２２から延設された２条の通孔支持板２４と前記前面板２２の幅方向中央であって前記２条の通孔支持板２４間に定間隔で設けられる縦長の掛止通孔２５と螺子孔Ｒとを備えたものである。なお、前記化粧ボード幅員規制用突起２６は図１３に示すように係止効果を高めるために波状あるいは鋸歯状に形成するのが望ましい。
【００３３】
図１４は本発明にかかる壁面構造に用いる棚支柱型材の他の実施例を示す（ａ）は斜視図，（ｂ）は正面図，（ｃ）は（ｂ）のＸ−Ｘ線断面図であって、棚支柱型材Ｈ’は図１３に示した棚支柱型材Ｈの前記正面板２２が前記２条の通孔支持板２４の幅だけ前方に隆起した隆起面２２’を有し、該隆起面２２’に定間隔で設けられた縦長の掛止通孔２５と前記正面板２２に適宜な間隔で設けられた螺子孔Ｒとを備えたものであって、これ以外は棚支柱型材Ｈと略同じである。このように構成した棚支柱型材Ｈ’は棚支柱型材Ｈに比べて、前記掛止通孔２５が螺子孔Ｒで制約されることがなく、後述する掛止棚受け部材Ｊの設ける位置の自由度が向上する。
【００３４】
図１５は本発明にかかる壁面構造に用いる掛止棚受け部材の一実施例を示す（ａ）は平面図，（ｂ）は側面図，（ｃ）は掛止棚受け部材に載置される棚板を説明する図であって、掛止棚受け部材Ｊはアルミニウム等の金属で形成され、棚板載置腕部２８と該棚板載置腕部２８の一方の側端縁に鉤状係止片２９（図１５上、上下方向に三段の鉤状係止片）と前記棚板載置腕部２８の上端に突設した棚板係止突起３０とを備えたものであって、棚板Ｖは該棚板Ｖの底面に設けられた載置用溝３１と該載置用溝３１に設けられた前記棚板係止突起３０が係入される固定用孔３２を備え、前記棚板Ｖに設けられた前記載置用溝３１に前記掛止棚受け部材Ｊの棚板載置腕部２８が挿入されると共に前記固定用孔３２に前記棚板係止突起３０が係入されて前記掛止棚受け部材Ｊ上に前記棚板Ｖが載置されるものである。
【００３５】
図１６は本発明にかかる壁面構造に用いる棚受け用係止型材の一実施例を示す（ａ）は斜視図，（ｂ）は断面図，（ｃ）は棚受け用係止型材に棚板を装着した状態を説明する図であって、棚受け用係止型材Ｃはアルミニウム等の金属で形成され、棚板挟持用上板部１６と、該棚板挟持用上板部１６に延設される断面弧状の板状挿嵌部１５と前記板状挿嵌部１５から垂下形成される支持板部１７と、該支持板部１７から前記棚板挟持用上板部１６に略平行に、かつ、前記棚板挟持用上板部１６の前記支持板部１７からの突出長さより長く突出形成される棚板挟持用下板部１８と、前記棚板挟持用上板部１６と前記棚板挟持用下板部１８との間に突設される板状挿入突起２０とからなるものであって、一端面に棚板側挿入溝２１が形成された棚板Ｖ’を前記棚板側挿入溝２１と前記板状挿入突起２０とが対応するように前記棚板挟持用上板部１６と前記棚板挟持用下板部１８との間に挿入して固定することにより棚部材Ｎとなる。なお、図１６において、前記板状挿入突起２０は係止効果を高めるために波状あるいは鋸歯状に形成されている。また、前記棚板挟持用下板部１８は荷重に対する支持強度を高めるために断面が略直角三角形状に形成されている。また、棚板Ｖ’の挟持効果を高めるために棚板挟持用上板部１６の前記棚板Ｖ’が当接する面および前記棚板挟持用下板部１８の前記棚板Ｖ’が当接する先端面を粗面加工あるいはゴム塗布加工を施して前記棚板Ｖ’の係止効果を高めてもよいものである。
【００３６】
図１７は本発明にかかる壁面構造における化粧ボード部材および棚部材の取付状態の一実施例を示す（ａ）は斜視図，（ｂ）は断面図であって、壁面構造Ｍ４は図１０で説明した壁面構造Ｍ１において、前記レール状係合型材Ａの上下二段に形成された２条の挿嵌溝３、４のうちの上段の挿嵌溝３に上段挿入口３ａから前記棚部材Ｎに設けられた断面弧状の板状挿嵌部１５が挿嵌されて前記レール状係合型材Ａに前記棚部材Ｎが取り付けられたものである。前記棚部材Ｎの固定は前記挿嵌溝３と前記化粧ボード部材Ｂ’の表面に前記棚部材Ｎの前記支持板部１７が当接することで達成される。なお、図１７においては前記棚部材Ｎに設けられる前記板状挿入突起２０および前記棚板側挿入溝２１は図示を省略した。
【００３７】
図１８は本発明にかかる壁面構造の基板を取付けた状態の全体構造の一実施例を示す（ａ）は平面図、（ｂ）は（ａ）のＸ−Ｘ線断面図であって、壁面構造Ｍ５は図４に示したレール状上部係合型材Ｓと、図２に示したレール状係合型材Ａ’（２本）と、図４に示したレール状下部係合型材Ｔとが水平方向に平行に壁体Ｗの表面に上部から順に配設されると共に各係合型材間（３列）に複数枚の基板Ｆ（図１８上、各列３枚で合計９枚の定寸の基板Ｆ）が嵌合されると共に前記基板Ｆの隣接部において、一方側の前記基板Ｆ（図１８上、右側に位置する基板Ｆ）の端部が断面Ｌ字状に切り欠かれた断面Ｌ字状切欠部３６を有し、前記基板Ｆの隣接部に断面略コの字状凹部３７が形成され、さらに両側端面に係合型材Ｓ，Ａ’，Ｔの側端面および前記基板Ｆの側端面を被覆する、たとえば、黒色に着色された合成樹脂製のエンドカバー３８が設けられている。前記エンドカバー３８は断面Ｔ字状であって、係合型材Ｓ，Ａ’，Ｔが表出するように当該部分が切り欠かれている。これは、前記エンドカバー３８を螺子等で基板Ｆに螺着する場合に基板の上面に位置する前記エンドカバー３８の部分で螺着するためであり、壁面構造Ｍ５を壁体Ｗの表面の略全面に設ける場合に前記エンドカバー３８の取り付けを容易なものとすることができる。前記断面略コの字状凹部３７は、たとえば、必要に応じて、棚支柱型材Ｈが嵌め込まれる棚支柱型材用溝２７（図１９参照）として用いられるものである。また、前記断面略コの字状凹部３７は上記した形成方法に限るものではなく、たとえば、上記した１列を一枚の大きい基板で構成し、略コの字状に切削加工して形成してもよいものである。なお、図１８上の符号Ｑは螺着された螺子を示す。また、図示はしていないが、前記基板Ｆは適宜な箇所が螺子により壁体Ｗに螺着されている。
【００３８】
図１９は本発明にかかる壁面構造の棚支柱型材の取付状態の一実施例を示す断面図であって、壁面構造Ｍ６は、たとえば、図１８に示した前記断面略コの字状凹部３７（棚支柱型材用溝２７）に前記棚支柱型材Ｈが嵌め込まれ、適宜に設けられた螺子孔Ｒ（図示せず）で螺子Ｑにより螺着されて基板Ｆに取り付けられる。なお、図示はしないが、前記断面略コの字状凹部３７（棚支柱型材用溝２７）は棚支柱型材Ｈを設けることなく、たとえば、黒色に着色された合成樹脂製の前記断面略コの字状凹部３７（棚支柱型材用溝２７）に係合する形状の成形品で前記断面略コの字状凹部３７（棚支柱型材用溝２７）とその近傍が被覆されていてもよいものである。
【００３９】
図２０は本発明にかかる壁面構造の化粧ボード部材を取付けた状態の全体構造の一実施例を示す斜視図であって、壁面構造Ｍ７は、図１８に示した壁面構造Ｍ５の前記レール状上部係合型材Ｓの前記挿嵌溝３３と前記レール状係合型材Ａ’（２本）の前記下段挿嵌溝４に化粧ボード部材Ｂをその断面弧状の板状挿嵌部１０を挿嵌し、前記基板Ｆの前面に前記基板Ｆを被覆するように、かつ、図１８に示した前記断面略コの字状凹部３７と対応する部分に一定間隔の隙間ができるように取り付けたものである。このように構成した壁面構造Ｍ７は、壁体Ｗから基板Ｆを介して化粧ボード部材Ｂが設けられることになり、奥行きが感じられ、壁体Ｗの表面に書画を飾ったようなイメージを演出した壁面とすることができる。なお、化粧ボード部材Ｂは図１９からも明らかなように、化粧ボード部材Ｂの背面に設けた化粧ボード幅員規制溝１４が棚支柱型材Ｈに設けられた前記化粧ボード幅員規制用突起２６に挿入係止されている。
【００４０】
図２１は本発明にかかる壁面構造の棚部材と掛止棚受け部材の取付状態の一実施例を示す要部斜視図であって、詳細な説明は今まで説明してきた通りであり省略するが、壁面構造Ｍ８は化粧ボード部材Ｂ’が下段挿嵌溝４に挿嵌された後に、上段挿嵌溝３に棚部材Ｎが挿嵌され、さらに、掛止棚受け部材Ｊがその鉤状掛止片２９を前記棚支柱型材Ｈに設けた掛止通孔２５に掛け、前記掛止棚受け部材Ｊの前記棚板載置腕部２８上に棚板Ｖ’が載置されたものである。図示はしないが、掛止棚受け部材Ｊは隣り合う前記棚支柱型材Ｈ、あるいは、水平方向に離れた位置にある前記棚支柱型材Ｈの前記掛止通孔２５に前記棚板Ｖ’を載置した際に前記棚板Ｖ’が水平となるように少なくとも２箇所に設けられる。
【００４１】
図２２は本発明にかかる壁面構造の化粧ボード部材、棚部材、棚板を載置した掛止棚受け部材の取付状態の全体構造の一実施例を図解的に示す（ａ）は平面図，（ｂ）は側面図であって、壁面構造Ｍ９は図２０に示した壁面構造Ｍ７が各列３枚で合計９枚の化粧ボード部材Ｂから構成されていたのに対して、各列４枚で合計１２枚の化粧ボード部材Ｂから構成されているものであって、前記化粧ボード部材Ｂの前面に各種サイズの棚部材Ｎや棚板Ｖを載置した掛止棚受け部材Ｊが取り付けられている。なお、今までの実施例は本発明の一例を示したものであって、本発明の趣旨を逸脱いない範疇のものはすべて本発明に含まれるものであり、たとえば、化粧ボード部材Ｂ，Ｂ’を略正方形状として示したが、これに限るものではなく、たとえば、図２０において、水平方向に２ないし複数枚の大きさからなる一枚のものであってもよいし、垂直方向に２ないし複数枚の大きさからなる一枚のものであってもよいし、水平方向および垂直方向に２ないし複数枚の大きさからなる一枚のものであってもよいものである。
【図面の簡単な説明】
【００４２】
【図１】本発明にかかる壁面構造に用いるレール状係合型材の第１実施形態を示す（ａ）は斜視図，（ｂ）は断面図である。
【図２】本発明にかかる壁面構造に用いるレール状係合型材の第２実施形態を示す（ａ）は斜視図，（ｂ）は断面図である。
【図３】本発明にかかる壁面構造に用いるレール状係合型材のその他の実施形態を示す断面図である。
【図４】本発明にかかる壁面構造に用いるレール状上部係合型材の一実施例を示す（ａ）は斜視図，（ｂ）は断面図である。
【図５】本発明にかかる壁面構造に用いるレール状下部係合型材の一実施例を示す（ａ）は斜視図，（ｂ）は断面図である。
【図６】本発明にかかる壁面構造に用いる化粧ボード係止型材の一実施例を示す（ａ）は斜視図，（ｂ）は断面図である。
【図７】本発明にかかる壁面構造に用いる化粧ボード部材の一実施例を示す斜視図である。
【図８】本発明にかかる壁面構造に用いる化粧ボード部材の他の実施例を示す斜視図である。
【図９】本発明にかかる壁面構造に用いる化粧ボード部材のさらに他の実施例を示す（ａ）は斜視図、（ｂ）は（ａ）のＹ−Ｙ線断面図である。
【図１０】本発明にかかる壁面構造の化粧ボード部材の取付状態の第１実施形態を示す（ａ）は斜視図，（ｂ）は断面図である。
【図１１】本発明にかかる壁面構造の化粧ボード部材の取付状態の第２実施形態を説明する（ａ）は斜視図，（ｂ）は断面図である。
【図１２】本発明にかかる壁面構造の基板の取付状態の一実施例を示す（ａ）は斜視図，（ｂ）は断面図である。
【図１３】本発明にかかる壁面構造に用いる棚支柱型材の一実施例を示す（ａ）は斜視図，（ｂ）は正面図，（ｃ）は（ｂ）のＸ−Ｘ線断面図である。
【図１４】本発明にかかる壁面構造に用いる棚支柱型材の他の実施例を示す（ａ）は斜視図，（ｂ）は正面図，（ｃ）は（ｂ）のＸ−Ｘ線断面図である。
【図１５】本発明にかかる壁面構造に用いる掛止棚受け部材の一実施例を示す（ａ）は平面図，（ｂ）は側面図，（ｃ）は掛止棚受け部材に棚板を載置した状態を説明する図である。
【図１６】本発明にかかる壁面構造に用いる棚受け用係止型材の一実施例を示す（ａ）は斜視図，（ｂ）は断面図，（ｃ）は棚受け用係止型材に棚板を装着した状態を説明する図である。
【図１７】本発明にかかる壁面構造における化粧ボード部材および棚部材の取付状態の一実施例を示す（ａ）は斜視図，（ｂ）は断面図である。
【図１８】本発明にかかる壁面構造の基板を取付けた状態の全体構造の一実施例を示す（ａ）は平面図、（ｂ）は（ａ）のＸ−Ｘ線断面図である。
【図１９】本発明にかかる壁面構造の棚支柱型材の取付状態の一実施例を示す断面図である。
【図２０】本発明にかかる壁面構造の化粧ボード部材を取付けた状態の全体構造の一実施例を示す斜視図である。
【図２１】本発明にかかる壁面構造の棚部材と掛止棚受け部材の取付状態の一実施例を示す斜視図である。
【図２２】本発明にかかる壁面構造の化粧ボード部材、棚部材、棚板を載置した掛止棚受け部材の取付状態の全体構造の一実施例を示す（ａ）は平面図，（ｂ）は側面図である。
【符号の説明】
【００４３】
１，１’                            上縁
１ａ                                支持突起
２，２’２”                        下縁
３                                  上段挿嵌溝
３ａ                                上段挿入口
３ｂ                                挿入口
４                                  下段挿嵌溝
４ａ                                下段挿入口
５                                  嵌入溝
６                                  垂直状突起
７，７’                            垂下状突起
８，８’，８”                      取付縁
９                                  支持縁
１０                                断面弧状の板状挿嵌部
１１，１３                          板状の固定部
１２                                化粧ボード固定用突起
１４                                化粧ボード幅員規制用溝
１５                                板状挿嵌部
１６                                棚板挟持用上板部
１７                                支持板部
１８                                棚板挟持用下板部
２０，２０’                        板状挿入突起
２１                                挿入溝
２２                                正面板
２２’                              隆起面
２３                                側面板
２４                                通孔支持板
２５                                掛止通孔
２６                                化粧ボード幅員規制用突起
２７                                棚支柱型材用溝
２８                                棚板載置腕部
２９                                鉤状掛止片
３０                                棚板係止突起
３１                                載置用溝
３２                                固定用孔
３３                                挿嵌溝
３４                                板状突起
３５                                嵌合凸部
３６                                断面Ｌ字状切欠部
３７                                断面コの字状凹部
３８                                エンドカバー
３９                                化粧ボード
４０                                位置決め挿入溝
４１                                断面略Ｔ字状突出部を有する支持部
４２                                ダボ穴
Ａ，Ａ’，Ａ”                      レール状係合型材
Ｂ，Ｂ’，Ｂ”                      化粧ボード部材
Ｃ                                  棚受け用係止型材
Ｄ，Ｄ’                            化粧ボード係止型材
Ｅ                                  嵌入部材
Ｆ                                  基板
Ｈ，Ｈ’                            棚支柱型材
Ｊ                                  掛止棚受け部材
Ｌ                                  挿嵌部
Ｍ１，Ｍ２，Ｍ３，Ｍ４，Ｍ５        壁面構造
Ｍ６，Ｍ７，Ｍ８，Ｍ９              壁面構造
Ｎ                                  棚部材
Ｑ                                  螺子
Ｒ                                  螺子孔
Ｓ                                  レール状上部係合型材
Ｔ                                  レール状下部係合型材
Ｖ，Ｖ’                            棚板
Ｗ                                  壁体
【図１】
2006183449.tif 000003
【図２】
2006183449.tif 000004
【図３】
2006183449.tif 000005
【図４】
2006183449.tif 000006
【図５】
2006183449.tif 000007
【図６】
2006183449.tif 000008
【図７】
2006183449.tif 000009
【図８】
2006183449.tif 000010
【図９】
2006183449.tif 000011
【図１０】
2006183449.tif 000012
【図１１】
2006183449.tif 000013
【図１２】
2006183449.tif 000014
【図１３】
2006183449.tif 000015
【図１４】
2006183449.tif 000016
【図１５】
2006183449.tif 000017
【図１６】
2006183449.tif 000018
【図１７】
2006183449.tif 000019
【図１８】
2006183449.tif 000020
【図１９】
2006183449.tif 000021
【図２０】
2006183449.tif 000022
【図２１】
2006183449.tif 000023
【図２２】
2006183449.tif 000024